(57)【要約】      （修正有）【課題】光学部品が収納される筐体の劣化を抑制できるプロジェクターを提供する。【解決手段】プロジェクターは、光源装置と、光源装置から出射された光を変調する光変調装置と、光変調装置により変調された光を投射する投射光学装置と、光源装置の光出射側に設けられる透光性の光学部品と、光学部品を光源装置から出射された光の中心軸上の所定位置に位置決めする第１基準面５１１を有する光学部品用筐体５と、光学部品を第１基準面５１１に付勢する第１および第２付勢部材６１，６２と、を備え、第１基準面５１１は、光学部品の光入射（−Ｚ）側に位置し、第１および第２付勢部材６１，６２は、光学部品の光出射（＋Ｚ）側に位置し、光出射（＋Ｚ）側から光学部品の一部に入射される光を遮蔽する遮蔽部を有する。【選択図】図５
2017181535.tif 000002
【特許請求の範囲】
【請求項１】
光源装置と、
前記光源装置から出射された光を変調する光変調装置と、
前記光変調装置により変調された光を投射する投射光学装置と、
前記光源装置の光出射側に設けられる透光性の光学部品と、
前記光学部品を前記光源装置から出射された光の中心軸上の所定位置に位置決めする第１基準面を有する筐体と、
前記光学部品を前記第１基準面に付勢する付勢部材と、を備え、
前記第１基準面は、前記光学部品の光入射側に位置し、
前記付勢部材は、前記光学部品の光出射側に位置し、前記光出射側から当該光学部品の一部に入射される光を遮蔽する遮蔽部を有することを特徴とするプロジェクター。
【請求項２】
請求項１に記載のプロジェクターにおいて、
前記付勢部材は、
前記光学部品において前記中心軸に対する直交方向の一端側を前記第１基準面に向けて付勢する第１付勢部材と、
前記光学部品において前記直交方向の他端側を前記第１基準面に向けて付勢する第２付勢部材と、を含むことを特徴とするプロジェクター。
【請求項３】
請求項２に記載のプロジェクターにおいて、
前記第１基準面は、前記中心軸に対する直交面に沿う平面であり、
前記筐体は、前記第１基準面に交差する第２基準面を有し、
前記第１基準面には、前記第１付勢部材及び前記第２付勢部材によって付勢された前記光学部品が当接され、
前記第２基準面には、前記第２付勢部材によって付勢された前記光学部品が当接される
ことを特徴とするプロジェクター。
【請求項４】
請求項１から請求項３のいずれか一項に記載のプロジェクターにおいて、
前記付勢部材は、
前記遮蔽部と、
前記光学部品及び前記筐体のいずれかに当接する当接部と、
前記当接部から延出するとともに、前記光学部品を付勢する付勢部と、
前記当接部と前記遮蔽部とを接続する接続部と、を備えることを特徴とするプロジェクター。
【請求項５】
請求項１から請求項４のいずれか一項に記載のプロジェクターにおいて、
前記光学部品を介して入射される光の光路上に挿入されて、前記光の少なくとも一部を遮蔽して、出射される光の光量を調整する調光装置を備えることを特徴とするプロジェクター。
【請求項６】
請求項５に記載のプロジェクターにおいて、
前記光源装置から出射された光を均一化させる均一化装置を備え、
前記均一化装置は、
入射される光束を複数の部分光束に分割する第１レンズアレイと、
前記第１レンズアレイから前記複数の部分光束が入射される第２レンズアレイと、を有し、
前記第１レンズアレイは、前記第２レンズアレイに対して前記光源装置から出射された光の出射方向基端側に位置し、
前記調光装置は、前記第１レンズアレイ及び前記第２レンズアレイの間に位置し、
前記光学部品は、前記第１レンズアレイであることを特徴とするプロジェクター。
【発明の詳細な説明】
【技術分野】
【０００１】
本発明は、プロジェクターに関する。
【背景技術】
【０００２】
従来、光源装置と、当該光源装置から出射された光を変調して画像情報に応じた画像を形成する光変調装置と、当該画像をスクリーン等の被投射面上に拡大投射する投射光学装置とを備えたプロジェクターが知られている。このようなプロジェクターとして、上記各装置の他、照明光学装置、色分離光学装置、リレー光学装置及び色合成装置を備えたプロジェクターが開示されている（例えば、特許文献１参照）。
【０００３】
上記特許文献１に記載のプロジェクターの照明光学装置は、第１レンズアレイ、第２レンズアレイ、偏光変換素子、重畳レンズ及び調光装置を備え、これらは光源装置から出射された光束の光路上に配置され、光学部品用筐体に固定される。これらのうち、調光装置は、第１レンズアレイと第２レンズアレイとの間に配置され、光源装置から出射された光束の一部を遮光し、光束の通過光量を調整する。この調光装置により、第１レンズアレイから出射されて第２レンズアレイに入射される光の光量、ひいては、光変調装置及び色合成装置に入射される光量を調整し、投射画像のコントラストを調整している。
【先行技術文献】
【特許文献】
【０００４】
【特許文献１】特開２０１１−１０２８９６号公報
【発明の概要】
【発明が解決しようとする課題】
【０００５】
ところで、特許文献１に記載のプロジェクターの調光装置には、第１レンズアレイから出射された光が照射されることから、当該調光装置は、上記光によって生じる熱に耐え得る金属（例えば、アルミニウム等）により構成される。このため、上記光が当該調光装置に入射されると、当該調光装置が金属製であるため当該調光装置により第１レンズアレイに向けて上記光が反射される可能性がある。この第１レンズアレイは、透光性を有するため、上記反射された光が第１レンズアレイを透過して、当該第１レンズアレイが固定される光学部品用筐体に入射される。このように、光学部品用筐体に上記反射された光が入射されるので、光学部品用筐体が上記反射された光により劣化するという課題がある。
【０００６】
本発明は、上記課題の少なくとも一つを解決することを目的としたものであり、光学部品が収納される筐体の劣化を抑制できるプロジェクターを提供することを目的とする。
【課題を解決するための手段】
【０００７】
本発明の一態様では、光源装置と、前記光源装置から出射された光を変調する光変調装置と、前記光変調装置により変調された光を投射する投射光学装置と、前記光源装置の光出射側に設けられる透光性の光学部品と、前記光学部品を前記光源装置から出射された光の中心軸上の所定位置に位置決めする第１基準面を有する筐体と、前記光学部品を前記第１基準面に付勢する付勢部材と、を備え、前記第１基準面は、前記光学部品の光入射側に位置し、前記付勢部材は、前記光学部品の光出射側に位置し、前記光出射側から当該光学部品の一部に入射される光を遮蔽する遮蔽部を有することを特徴とする。
【０００８】
なお、上記付勢部材としては、板ばねの他、コイルばねを例示できる。
上記一態様によれば、付勢部材が筐体の第１基準面に対して光学部品を付勢するので、当該光学部品を光源装置から出射された光の中心軸上の所定位置に位置決めできる。また、光学部品の光出射側に位置する付勢部材が当該光学部品の一部に入射される光を遮蔽する遮蔽部を備えているので、光学部品の光出射側から当該光学部品に入射される光を遮蔽できる。従って、透光性の光学部品を通過して筐体に入射される光を低減できるので、上記光による筐体の劣化を抑制できる。
また、付勢部材に光学部品の一部に入射される光を遮蔽する遮蔽部を一体的に設けることにより、各々を別体で構成した場合と比較して、遮光部を筐体に取り付け忘れることを抑制できる。
【０００９】
上記一態様では、前記付勢部材は、前記光学部品において前記中心軸に対する直交方向の一端側を前記第１基準面に向けて付勢する第１付勢部材と、前記光学部品において前記直交方向の他端側を前記第１基準面に向けて付勢する第２付勢部材と、を含むことが好ましい。
上記一態様によれば、第１付勢部材及び第２付勢部材により光学部品の両端を第１基準面に向けて付勢するので、確実に光学部品を第１基準面に対して固定できる。また、第１付勢部材及び第２付勢部材のそれぞれに設けられた遮蔽部が光学部品の両端を遮蔽するので、光学部品の光出射側から当該光学部品に入射される光を上記両端側にて遮蔽できる。従って、光学部品を通過して筐体に入射される光を確実に低減できる。
【００１０】
上記一態様では、前記第１基準面は、前記中心軸に対する直交面に沿う平面であり、前記筐体は、前記第１基準面に交差する第２基準面を有し、前記第１基準面には、前記第１付勢部材及び前記第２付勢部材によって付勢された前記光学部品が当接され、前記第２基準面には、前記第２付勢部材によって付勢された前記光学部品が当接されることが好ましい。
上記一態様によれば、第１基準面に第１付勢部材及び第２付勢部材によって付勢された光学部品が当接され、第１基準面に交差する第２基準面に第２付勢部材により付勢された光学部品が当接されるので、光学部品が第１基準面にのみ位置決めされる場合に比べて、光学部品を確実に位置決めできる。これによれば、当該光学部品が第１基準面に交差する方向に移動することを抑制できる。従って、光学部品の位置ずれを確実に抑制できる。
【００１１】
上記一態様では、前記付勢部材は、前記遮蔽部と、前記光学部品及び前記筐体のいずれかに当接する当接部と、前記当接部から延出するとともに、前記光学部品を付勢する付勢部と、前記当接部と前記遮蔽部とを接続する接続部と、を備えることが好ましい。
上記一態様によれば、遮蔽部が光学部品及び筐体のいずれかに当接する当接部と接続部により接続されているので、付勢部材を筐体に装着するだけで、光学部品の光出射側から当該光学部品に入射される光を遮蔽できる。また、遮蔽部が接続部により当接部と接続されているので、例えば、当接部と遮蔽部とが別部材により構成されている場合に比べて、部品点数を削減できる。
【００１２】
上記一態様では、前記光学部品を介して入射される光の光路上に挿入されて、前記光の少なくとも一部を遮蔽して、出射される光の光量を調整する調光装置を備えることが好ましい。
ここで、調光装置は、光学部品を介して入射される光の光路上に挿入される構成であるため、上記光の熱に耐え得る金属（例えば、アルミニウム等）により構成される。このため、調光装置に入射された上記光が当該調光装置に入射されると、当該調光装置に入射された光は、当該調光装置により反射され、光学部品に向けて反射される可能性がある。
これに対し、上記一態様によれば、調光装置により反射され、光学部品に向けて反射される光は、上記遮蔽部に入射される。すなわち、光学部品の光出射側に遮蔽部が設けられているので、当該光学部品を通過して筐体（上記第１基準面）に入射される光を低減できる。従って、上記光による筐体の劣化をより抑制できる。
【００１３】
上記一態様では、前記光源装置から出射された光を均一化させる均一化装置を備え、前記均一化装置は、入射される光束を複数の部分光束に分割する第１レンズアレイと、前記第１レンズアレイから前記複数の部分光束が入射される及び第２レンズアレイと、を有し、前記第１レンズアレイは、前記第２レンズアレイに対して前記光源装置から出射された光の出射方向基端側に位置し、前記調光装置は、前記第１レンズアレイ及び前記第２レンズアレイの間に位置し、前記光学部品は、前記第１レンズアレイであることが好ましい。
上記一態様によれば、調光装置により反射され、第１レンズアレイの光出射側から当該第１レンズアレイに入射される光を上記付勢部材の遮蔽部により遮蔽でき、かつ、第１レンズアレイを筐体に確実に固定できる。
【図面の簡単な説明】
【００１４】
【図１】本発明の一実施形態に係るプロジェクターの外観構成を示す斜視図。
【図２】上記実施形態に係るプロジェクターのアッパーケースを外した状態を示す平面図。
【図３】上記実施形態に係るプロジェクターの光学ユニットの概略構成を示す概略図。
【図４】上記実施形態に係る投射光学装置の内部構成を模式的に示す断面図。
【図５】上記実施形態に係る光学部品用筐体の構成を示す平面図。
【図６】上記実施形態に係る光学部品用筐体の拡大図。
【図７】上記実施形態に係る第１付勢部材を示す斜視図。
【図８】上記実施形態に係る第１付勢部材が装着された光学部品用筐体の斜視図。
【図９】上記実施形態に係る第２付勢部材を示す斜視図。
【図１０】上記実施形態に係る第２付勢部材が装着された光学部品用筐体の斜視図。
【発明を実施するための形態】
【００１５】
以下、本発明の一実施形態について、図面に基づいて説明する。
［プロジェクターの外観構成］
図１は、本実施形態に係るプロジェクター１の外観構成を示す斜視図である。
本実施形態に係るプロジェクター１は、内部に設けられた光源装置４１（図２参照）から出射された光を変調して、画像情報に応じた画像を形成し、当該画像をスクリーン等の被投射面上に拡大投射するものである。このプロジェクター１は、図１に示すように、外装を構成し、後述する装置本体３を収容する外装筐体２を備える。
外装筐体２は、アッパーケース２１及びロアーケース２２により構成される全体略直方体形状を有する合成樹脂製の筐体である。この外装筐体２は、天面部２Ａ、底面部２Ｂ、左側面部２Ｃ、右側面部２Ｄ、背面部２Ｅ及び正面部２Ｆを有する。なお、底面部２Ｂは、天面部２Ａの反対側の面であり、右側面部２Ｄは、左側面部２Ｃの反対側の面であり、正面部２Ｆは、背面部２Ｅの反対側の面である。
これらのうち、天面部２Ａには、装置本体３を構成する光学ユニット４（図２参照）により形成された画像光が通過する開口部２１１が位置する。
【００１６】
［装置本体の構成］
図２は、外装筐体２を構成するアッパーケース２１を取り外した状態のプロジェクター１を示す平面図である。
このようなプロジェクター１は、図２に示すように、外装筐体２内に収納される装置本体３を備える。この装置本体３は、光学ユニット４を備える他、図示を省略するが、当該プロジェクター１を制御する制御装置、当該プロジェクター１を構成する電子部品に電力を供給する電源装置、及び当該プロジェクター１を冷却する冷却装置を備える。
【００１７】
［光学ユニットの構成］
図３は、プロジェクター１の光学ユニット４の概略構成を示す図である。
光学ユニット４は、図３に示すように、光源装置４１、均一化装置４２、色分離装置４３、リレー装置４４、電気光学装置４５、投射光学装置４６、光源装置４１を支持する光源支持筐体４７と、各種装置４２〜４５を支持する光学部品用筐体５と、を備える。
なお、以下の説明では、光源装置４１から出射される光の進行方向を＋Ｚ方向とし、当該＋Ｚ方向にそれぞれ直交し、かつ、互いに直交する方向を＋Ｘ方向及び＋Ｙ方向とする。本実施形態では、＋Ｚ方向は、右側面部２Ｄから左側面部２Ｃに向かう方向であるので、＋Ｙ方向を、上記底面部２Ｂから天面部２Ａに向かう方向とし、＋Ｘ方向を、背面部２Ｅから正面部２Ｆに向かう方向とする。すなわち、＋Ｘ方向は、プロジェクター１を天面部２Ａ側から平面視した場合に、投射光学装置４６による画像の投射方向と略平行な方向となる。
【００１８】
光源装置４１は、光源ランプ４１１、リフレクター４１２及び平行化レンズ４１３を有し、均一化装置４２に光束を出射する。なお、図３においては、光源装置４１が１つ設けられた例を示しているが、光源装置４１の数は１つに限らず、複数の光源装置が設けられていてもよい。
均一化装置４２は、光源装置４１から出射された光束の中心軸に対する直交面内の照度を均一化する。この均一化装置４２は、第１レンズアレイ４２１、調光装置４２２、第２レンズアレイ４２３、偏光変換素子４２４、及び重畳レンズ４２５を有する。
第１レンズアレイ４２１は、透光性を有し、光源装置４１から出射された光束を複数の部分光束に分割する複数の第１小レンズがマトリクス状に配列された構成を有する。この第１レンズアレイ４２１は、第２レンズアレイ４２３に対して光源装置４１から出射された光の出射方向基端側（−Ｚ方向側）に位置する。なお、第１レンズアレイ４２１は、光学部品に相当する。
【００１９】
調光装置４２２は、第１レンズアレイ４２１を介して入射される光の光路上に挿入され、当該第１レンズアレイ４２１を介して第２レンズアレイ４２３に入射される光の少なくとも一部を遮蔽して、当該調光装置４２２から出射される光の光量を調整する。すなわち、調光装置４２２は、第２レンズアレイ４２３、ひいては、液晶パネル４５３に入射される光量を調整する。
第２レンズアレイ４２３は、第１レンズアレイ４２１の各第１小レンズに応じた複数の第２小レンズがマトリクス状に配列された構成を有する。そして、第２レンズアレイ４２３は、入射される各部分光束を後述する液晶パネル４５３の画像形成領域に照射して、当該画像形成領域を均一に照明する。
【００２０】
偏光変換素子４２４は、入射された光の偏光方向を一種類に揃える。すなわち、偏光変換素子４２４は、入射された光をｐ偏光成分の光及びｓ偏光成分の光のいずれかに揃える。
重畳レンズ４２５は、入射された光を重畳させる。これにより、偏光変換素子４２４を介して入射された光が重畳され、色分離装置４３に向けて出射される。
【００２１】
色分離装置４３は、均一化装置４２から入射される光束を、赤（Ｒ）、緑（Ｇ）及び青（Ｂ）の３つの色光に分離する。この色分離装置４３は、ダイクロイックミラー４３１，４３２及び反射ミラー４３３を有する。
リレー装置４４は、分離された３つの色光のうち、赤色光の光路上に設けられる。このリレー装置４４は、入射側レンズ４４１、リレーレンズ４４３及び反射ミラー４４２，４４４を有する。このリレー装置４４は、分離された赤色光の光路（液晶パネル４５３に到達するまでの光路）が、他の色光の光路に比べて長いため、当該赤色光の損失を抑制するものである。
【００２２】
電気光学装置４５は、分離された各色光を画像情報に応じて変調した後、変調された各色光を合成する。この電気光学装置４５は、それぞれ色光ごとに設けられる３つのフィールドレンズ４５１、３つの入射側偏光板４５２、光変調装置としての３つの液晶パネル４５３（４５３Ｒ，４５３Ｇ，４５３Ｂ）、及び、３つの出射側偏光板４５４と、変調された各色光を合成するクロスダイクロイックプリズム等の色合成装置４５５とを有する。
【００２３】
［投射光学装置の構成］
図４は、投射光学装置４６の内部構成を模式的に示す断面図である。
投射光学装置４６は、電気光学装置４５から入射される画像光を上記被投射面上に拡大投射する。この投射光学装置４６は、図４に示すように、複数のレンズ４６１と、非球面ミラー４６２と、鏡筒４６３と、を備え、これら複数のレンズ４６１及び非球面ミラー４６２は、中空状の鏡筒４６３内に収納される。
【００２４】
複数のレンズ４６１は、例えば、ズームレンズ及びフォーカスレンズを含む。
非球面ミラー４６２は、投射光学装置４６における光路最下流に、回転対称でない自由曲面形状の反射面４６２Ａが、＋Ｘ方向側及び＋Ｙ方向側を向くように配置される。この非球面ミラー４６２は、複数のレンズ４６１により、−Ｘ方向側に導かれた画像光を＋Ｘ方向及び＋Ｙ方向側に折り返すとともに、当該画像光を広角化する。
非球面ミラー４６２により広角化された画像光は、天面部２Ａ側に設けられた開口部４６４に嵌め込まれ、可視光を透過させるガラス等の基板４６５、及び開口部２１１を介して上記被投射面に向けて出射される。
【００２５】
光源支持筐体４７は、光源装置４１を支持する機能を有する。この光源支持筐体４７は、合成樹脂又は金属により形成され、光源装置４１から出射される光が＋Ｚ方向に出射されるように、外装筐体２のロアーケース２２に固定される。なお、光源支持筐体４７は、後述する光学部品用筐体５とは独立してロアーケース２２に固定される。
【００２６】
［光学部品用筐体の構成］
図５は、光学部品用筐体５の構成を示す平面図である。
光学部品用筐体５は、各種光学部品を収納する溝部（一部図示省略）が形成され、内部に照明光軸Ａｘが設定された部品収納部材５Ｌと、当該部品収納部材５Ｌに形成された部品収納用の開口部を閉塞する蓋状部材５Ｕとを備え、これらは合成樹脂又は金属により形成されている。そして、上記均一化装置４２、色分離装置４３、リレー装置４４及び電気光学装置４５の一部（３つのフィールドレンズ４５１、３つの入射側偏光板４５２、３つの液晶パネル４５３及び、３つの出射側偏光板４５４）は、上記照明光軸Ａｘに対する所定位置に位置付けられる。すなわち、光学部品用筐体５は、均一化装置４２、色分離装置４３、リレー装置４４及び電気光学装置４５の一部を一体化する。この光学部品用筐体５は、上記光源支持筐体４７の＋Ｚ方向に配置される。具体的に、光学部品用筐体５は、光源装置４１から出射される光束の中心軸が照明光軸Ａｘと一致する位置に配置され、光源支持筐体４７（光源装置４１）と接続される。なお、光学部品用筐体５は、筐体に相当する。
【００２７】
また、電気光学装置４５の色合成装置４５５は、プリズムベース（図示省略）により、光学部品用筐体５と投射光学装置４６との間に位置する支持部材（図示省略）に接続され、当該支持部材に、投射光学装置４６（鏡筒４６３）及び光学部品用筐体５が接続される。すなわち、光学部品用筐体５は、当該光学部品用筐体５の−Ｘ方向側にて投射光学装置４６と接続される。このように、均一化装置４２、色分離装置４３、リレー装置４４、電気光学装置４５及び投射光学装置４６が一体化されて、ロアーケース２２に固定される。
【００２８】
［第１レンズアレイの固定構造］
図６は、光学部品用筐体５の拡大図である。なお、図６では、第１レンズアレイ４２１、第１付勢部材６１及び第２付勢部材６２の図示を省略している。
部品収納部材５Ｌの内壁面には、上述したように複数の光学部品を−Ｙ方向に向けてスライドして収納する複数の溝部が形成されており、これらのうち、第１レンズアレイ４２１が配置される位置には、図５及び図６に示すように、溝部５１，５２，５３，５４が形成されている。
これらのうち、溝部５１には、第１レンズアレイ４２１（当該第１レンズアレイ４２１の一端側）の照明光軸方向、すなわち、＋Ｚ方向の位置を規定する第１ａ基準面５１１が形成されている。また、溝部５１には、第１レンズアレイ４２１の照明光軸方向に直交する（交差する）方向、すなわち、＋Ｘ方向の位置を規定する第２基準面５１２が形成されている。この溝部５１に対向する位置、すなわち、＋Ｚ方向側には、溝部５２が形成されている。
【００２９】
また、溝部５３には、第１レンズアレイ４２１（当該第１レンズアレイ４２１の他端側）の照明光軸方向、すなわち、＋Ｚ方向の位置を規定する第１ｂ基準面５３１が形成されている。これら第１ａ基準面５１１及び第１ｂ基準面５３１のそれぞれは、＋Ｘ方向に沿う方向に対して、平行であり、第１レンズアレイ４２１の光入射側（−Ｚ方向側）に位置する。すなわち、第１ａ基準面５１１及び第１ｂ基準面５３１は、第１基準面に相当し、第１レンズアレイ４２１を光源装置４１から出射された光の中心軸（照明光軸Ａｘ）上の所定位置に位置決めする。
溝部５４は、溝部５３より＋Ｚ方向に位置し、かつ、Ｘ方向に沿う方向及びＺ方向に沿う方向に対してそれぞれ略４５°の傾斜を持って形成された凹部である。この溝部５４には、上記第１ａ基準面５１１及び第１ｂ基準面５３１に交差する傾斜面５４１が設けられている。
これら溝部５２及び溝部５４には、後述する第１付勢部材６１及び第２付勢部材６２が装着され、これにより第１レンズアレイ４２１が−Ｚ方向及び＋Ｘ方向に付勢される。
【００３０】
［第１付勢部材の構成］
図７は、第１付勢部材６１を示す斜視図であり、図８は、第１付勢部材６１が装着された光学部品用筐体５における第１レンズアレイ４２１近傍を拡大して示す斜視図である。
第１付勢部材６１は、上記溝部５２に収納され、第１レンズアレイ４２１における中心軸に対する直交方向の一端側（＋Ｘ方向に沿う方向の＋Ｘ方向側）を付勢する機能を有する。すなわち、第１付勢部材６１は、第１レンズアレイ４２１の光出射側（＋Ｚ方向側）に配置される。この第１付勢部材６１は、金属製の板ばねにより構成され、図７及び図８に示すように、筐体当接部６１１、付勢部６１２、アレイ当接部６１３、遮蔽部６１４、接続部６１５、延出部６１６及び把持部６１７を備える。
【００３１】
筐体当接部６１１は、上記溝部５２に収納され、当該溝部５２の＋Ｚ方向の面５２１に当接する部位である。この筐体当接部６１１は、略矩形板状に形成され、当該筐体当接部６１１の＋Ｙ方向側の端部及び−Ｙ方向側の端部のそれぞれから、略矩形板状の付勢部６１２が−Ｚ方向及び−Ｚ方向に延出している。
また、それぞれの付勢部６１２の端部からは、それぞれ＋Ｙ方向及び−Ｙ方向に延びる略矩形板状のアレイ当接部６１３が形成されている。このアレイ当接部６１３は、当接部に相当し、上記第１レンズアレイ４２１の一端側、すなわち、第１レンズアレイ４２１の光出射側における＋Ｘ方向側の端部に当接される部位である。換言すると、筐体当接部６１１、付勢部６１２及びアレイ当接部６１３は、上記板ばねとして機能する。
【００３２】
また、筐体当接部６１１の−Ｘ方向側には、入射される光を遮蔽する遮蔽部６１４が設けられ、筐体当接部６１１と遮蔽部６１４は、接続部６１５により接続されている。この接続部６１５は、−Ｚ方向に延出する形状であるため、遮蔽部６１４は、筐体当接部６１１よりも−Ｚ方向側に位置する。
【００３３】
遮蔽部６１４は、Ｙ方向に沿う方向に延びる略矩形板状の部位であり、第１レンズアレイ４２１の光出射側（＋Ｚ方向）から当該第１レンズアレイ４２１に入射される光を遮蔽する。具体的に、遮蔽部６１４は、第１レンズアレイ４２１の＋Ｘ方向側の端部の略全領域を覆う形状である。
延出部６１６は、筐体当接部６１１の＋Ｘ方向側の端部から−Ｚ方向に延びる板状部材であり、当該延出部６１６の＋Ｙ方向側の端部には、−Ｘ方向側に延びる略矩形板状の把持部６１７が形成されている。
これにより、使用者は、第１レンズアレイ４２１を上記第１ａ基準面５１１及び第１ｂ基準面５３１に対して、略平行に配置した後、第１付勢部材６１の把持部６１７を把持し、上記溝部５１に当該第１付勢部材６１を−Ｙ方向にスライドさせることで、第１付勢部材６１が上記溝部５１に装着される。このように、第１付勢部材６１が上記溝部５１に装着されることにより、当該第１付勢部材６１は、第１レンズアレイ４２１を上記第１ａ基準面５１１に対して押圧付勢する。これにより、第１ａ基準面５１１には、第１付勢部材６１によって付勢された第１レンズアレイ４２１が当接され、位置決めされる。
【００３４】
［第２付勢部材の構成］
図９は、第２付勢部材６２を示す斜視図であり、図１０は、第２付勢部材６２が装着された光学部品用筐体５における第１レンズアレイ４２１近傍を拡大して示す斜視図である。
第２付勢部材６２は、上記溝部５４に収納され、第１レンズアレイ４２１における中心軸に対する直交方向の他端側（＋Ｘ方向に沿う方向の−Ｘ方向側）を付勢する機能を有する。すなわち、第２付勢部材６２は、上記第１付勢部材６１と同様に、第１レンズアレイ４２１の光出射側（＋Ｚ方向側）に配置される。この第２付勢部材６２は、板ばねにより構成され、図９及び図１０に示すように、アレイ当接部６２１、付勢部６２２、筐体当接部６２３、遮蔽部６２４、接続部６２５、及び把持部６２６を備える。
【００３５】
筐体当接部６２３は、上記溝部５４に収納され、当該溝部５４の−Ｘ方向の傾斜面５４１に当接する部位である。この筐体当接部６２３は、略矩形板状に形成され、当該筐体当接部６２３の＋Ｙ方向側の端部及び−Ｙ方向側の端部のそれぞれから、略矩形板状の付勢部６２２が−Ｚ方向に延出している。
また、それぞれの付勢部６２２の端部には、当該付勢部６２２の端部のそれぞれから＋Ｙ方向及び−Ｙ方向に延びる略矩形板状のアレイ当接部６２１が形成されている。このアレイ当接部６２１は、当接部に相当し、上記第１レンズアレイ４２１の他端側、すなわち、第１レンズアレイ４２１の光出射側における−Ｘ方向側の端部に当接される部位である。換言すると、筐体当接部６２３、付勢部６２２及びアレイ当接部６２１は、上記板ばねとして機能する。
【００３６】
また、それぞれのアレイ当接部６２１の＋Ｘ方向側には、入射される光を遮蔽する遮蔽部６２４が設けられ、アレイ当接部６２１と遮蔽部６２４は、接続部６２５により接続されている。この接続部６２５は、＋Ｘ方向に延出する円弧状に形成されているため、遮蔽部６２４は、アレイ当接部６２１よりも−Ｚ方向側に位置する。
遮蔽部６２４は、Ｙ方向に沿う方向に延びる略矩形板状の部位であり、第１レンズアレイ４２１の光出射側（＋Ｚ方向）から当該第１レンズアレイ４２１に入射される光を遮蔽する。具体的に、遮蔽部６２４は、第１レンズアレイ４２１の−Ｘ方向側の端部の略全領域を覆う形状である。
【００３７】
また、アレイ当接部６２１の＋Ｙ方向側の端部には、−Ｘ方向側に延びる略矩形板状の把持部６２６が形成されている。
これにより、使用者は、第１レンズアレイ４２１を上記第１ａ基準面５１１及び第１ｂ基準面５３１に対して、略平行に配置した後、第２付勢部材６２の把持部６２６を把持し、上記溝部５４に当該第２付勢部材６２を−Ｙ方向にスライドさせることで、第２付勢部材６２が上記溝部５４に装着される。このように、第２付勢部材６２が上記溝部５４に装着されることにより、当該第２付勢部材６２は、第１レンズアレイ４２１を上記第１ｂ基準面５３１及び第２基準面５１２に対して押圧付勢する。換言すると、第１ｂ基準面には、第２付勢部材６２によって付勢された第１レンズアレイ４２１の−Ｚ方向側の面が当接され、第２基準面５１２には、当該第２付勢部材６２によって付勢された第１レンズアレイ４２１の＋方向側の端部が当接される。これにより、第１レンズアレイ４２１が位置決めされる。
【００３８】
［遮蔽部による遮光］
ここで、調光装置４２２には、第１レンズアレイ４２１から出射された光の一部が入射される。この調光装置４２２は、上記光の熱に耐え得る金属（例えば、アルミニウム等）により構成される。このため、調光装置４２２に入射された上記光が当該調光装置４２２に入射されると、当該調光装置４２２に入射された光は、当該調光装置４２２により反射され、第１レンズアレイ４２１に向けて反射される可能性がある。
これに対し、本実施形態では、図５、図７及び図９に示すように、第１レンズアレイ４２１の＋Ｘ方向側の端部及び−Ｘ方向側の端部の＋Ｚ方向側の面に対して略平行に上記遮蔽部６１４及び遮蔽部６２４が位置している。このように、＋Ｘ方向側の端部及び−Ｘ方向側の端部の＋Ｚ方向側の面が遮蔽部６１４，６２４により遮蔽されているため、第１レンズアレイ４２１の光出射側（＋Ｚ方向側）から光学部品用筐体５の第１ａ基準面５１１及び第１ｂ基準面５３１に向かう光は、遮蔽部６１４，６２４により反射される。これにより、第１ａ基準面５１１及び第１ｂ基準面５３１、ひいては、光学部品用筐体５に対する上記反射光の入射が抑制される。
【００３９】
［実施形態の効果］
以上説明した本実施形態に係るプロジェクター１は、以下の効果を奏する。
第１付勢部材６１及び第２付勢部材６２が光学部品用筐体５の第１ａ基準面５１１及び第１ｂ基準面５３１に対して第１レンズアレイ４２１を付勢するので、当該第１レンズアレイ４２１を光源装置４１から出射された光の中心軸上（照明光軸Ａｘ上）の所定位置に位置決めできる。また、第１レンズアレイ４２１の光出射側（＋Ｚ方向側）に位置する第１付勢部材６１及び第２付勢部材６２が当該第１レンズアレイ４２１の一部に入射される光を遮蔽する遮蔽部６１４，６２４を備えているので、第１レンズアレイ４２１の光出射側から当該第１レンズアレイ４２１に入射される光を遮蔽できる。従って、透光性の第１レンズアレイ４２１を通過して光学部品用筐体５に入射される光を低減できるので、上記光による光学部品用筐体５の劣化を抑制できる。
また、第１付勢部材６１及び第２付勢部材６２に第１レンズアレイ４２１の一部に入射される光を遮蔽する遮蔽部６１４，６２４を一体的に設けることにより、各々を別体で構成した場合と比較して、遮蔽部６１４，６２４を光学部品用筐体５に取り付け忘れることを抑制できる。
【００４０】
第１付勢部材６１及び第２付勢部材６２により第１レンズアレイ４２１の＋Ｘ方向側の端部及び−Ｘ方向側の端部を第１ａ基準面５１１及び第１ｂ基準面５３１に向けて付勢するので、第１レンズアレイ４２１を第１ａ基準面５１１及び第１ｂ基準面５３１に対して確実に固定できる。また、第１付勢部材６１及び第２付勢部材６２のそれぞれに設けられた遮蔽部６１４，６２４が第１レンズアレイ４２１の両端を遮蔽するので、第１レンズアレイ４２１の光出射側から当該第１レンズアレイ４２１に入射される光を上記両端側にて遮蔽できる。従って、第１レンズアレイ４２１を通過して光学部品用筐体５に入射される光を確実に低減できる。
【００４１】
ここで、調光装置４２２は、第１レンズアレイ４２１を介して入射される光の光路上に挿入される構成であるため、上記光の熱に耐え得る金属（例えば、アルミニウム等）により構成される。このため、調光装置４２２に入射された上記光が当該調光装置４２２に入射されると、当該調光装置４２２に入射された光は、当該調光装置４２２により反射され、第１レンズアレイ４２１に向けて反射される可能性がある。
これに対し、本実施形態によれば、調光装置４２２により反射され、第１レンズアレイ４２１に向けて反射される光は、上記遮蔽部６１４，６２４に入射される。すなわち、第１レンズアレイ４２１の光出射側に遮蔽部６１４，６２４が設けられているので、当該第１レンズアレイ４２１を通過して光学部品用筐体５（上記第１ａ基準面５１１及び第１ｂ基準面５３１）に入射される光を低減できる。従って、上記光による光学部品用筐体５の劣化をより抑制できる。
【００４２】
第１ａ基準面５１１及び第１ｂ基準面５３１に第１付勢部材６１及び第２付勢部材６２によって付勢された第１レンズアレイ４２１の−Ｚ方向側の面が当接され、第１ａ基準面５１１及び第１ｂ基準面５３１に交差する第２基準面５１２に第２付勢部材６２により付勢された第１レンズアレイ４２１の＋Ｘ方向側の端部が当接されるので、第１レンズアレイ４２１が第１ａ基準面５１１及び第１ｂ基準面５３１にのみ位置決めされる場合に比べて、第１レンズアレイ４２１を確実に位置決めし、固定できる。これによれば、第１レンズアレイ４２１が第１ａ基準面５１１及び第１ｂ基準面５３１に交差する方向（＋Ｘ方向に沿う方向）移動することを抑制できる。従って、第１レンズアレイ４２１の位置ずれを確実に抑制できる。
【００４３】
第１付勢部材６１の遮蔽部６１４は、接続部６１５を介して筐体当接部６１１に接続されており、第２付勢部材６２の遮蔽部６２４は、接続部６２５を介してアレイ当接部６２１に接続されている。このため、第１付勢部材６１及び第２付勢部材６２を光学部品用筐体５の溝部５２，５４に装着するのみで、第１レンズアレイ４２１の光出射側から当該第１レンズアレイ４２１に入射される光を遮蔽できる。また、遮蔽部６１４，６２４が筐体当接部６１１及びアレイ当接部６２１と接続部６１５，６２５により接続されているので、例えば、付勢部材と上記遮蔽部とが別部材により構成されている場合に比べて、部品点数を削減できる。
【００４４】
［実施形態の変形］
本発明は、上記実施形態に限定されるものではなく、本発明の目的を達成できる範囲での変形、改良等は本発明に含まれるものである。
上記実施形態では、第１付勢部材６１及び第２付勢部材６２は、金属製の板ばねにより構成されることとした。しかしながら、本発明は、これに限らない。例えば、第１付勢部材６１及び第２付勢部材６２は、コイルばねにより構成されてもよい。また、第１付勢部材６１及び第２付勢部材６２は、光源装置４１から出射された光が光学部品用筐体５に直接照射されることを防止するための遮光板金と一体的に構成されてもよい。この場合、遮光板金は、上記実施形態の第１付勢部材６１及び第２付勢部材６２と同じ材料、例えば、ステンレス等で形成される。
ここで、第１付勢部材６１及び第２付勢部材６２は、金属により構成されているため、当該第１付勢部材６１及び第２付勢部材６２の遮蔽部６１４及び遮蔽部６２４に入射された光は、当該遮蔽部６１４及び遮蔽部６２４により反射される可能性がある。
これに対して、例えば、第１付勢部材６１及び第２付勢部材６２（遮蔽部６１４及び遮蔽部６２４）に対して、入射された光を反射させない加工を行ってもよい。更に、これら遮蔽部６１４及び遮蔽部６２４に対して、入射された光を吸収するシート等を貼付してもよい。これによれば、遮蔽部６１４及び遮蔽部６２４に入射された光が、当該遮蔽部６１４及び遮蔽部６２４により反射されることを抑制できる。従って、遮蔽部６１４及び遮蔽部６２４により反射された光が再度、調光装置４２２に入射されることによる迷光の発生を抑制できる。
【００４５】
上記実施形態では、均一化装置４２は、調光装置４２２を備えることとした。しかしながら、本発明は、これに限らない。例えば、均一化装置４２は、調光装置４２２を備えなくてもよい。
【００４６】
上記実施形態では、第１付勢部材６１及び第２付勢部材６２を備えることとした。しかしながら、本発明は、これに限らない。例えば、第１付勢部材６１及び第２付勢部材６２のいずれかを設けることとしてもよい。この場合であっても、第１レンズアレイ４２１の＋Ｘ方向側の端部及び−Ｘ方向側の端部のいずれかに入射される光を遮蔽部６１４及び遮蔽部６２４のいずれかにより遮蔽できる。
【００４７】
上記実施形態では、第１付勢部材６１及び第２付勢部材６２の遮蔽部６１４及び遮蔽部６２４は、第１レンズアレイ４２１の＋Ｘ方向側の端部及び−Ｘ方向側の端部の略全域を覆う形状であることとした。しかしながら、本発明は、これに限らない。例えば、第１レンズアレイ４２１の上記端部の一部を覆う形状であってもよい。
また、遮蔽部６１４及び遮蔽部６２４は、第１レンズアレイ４２１の＋Ｚ方向側の面に平行に配置されることとした。しかしながら、本発明は、これに限らない。例えば、遮蔽部６１４及び遮蔽部６２４は、第１レンズアレイ４２１側にそれぞれ傾斜し、一部が第１レンズアレイ４２１に当接していてもよい。
【００４８】
上記実施形態では、第１付勢部材６１が第１レンズアレイ４２１の＋Ｘ方向側の端部を第１ａ基準面５１１に向けて付勢し、第２付勢部材６２が第１レンズアレイ４２１の−Ｘ方向側の端部を第１ｂ基準面５３１及び第２基準面５１２に向けて付勢することとした。しかしながら、本発明は、これに限らない。例えば、第２付勢部材６２は、第１付勢部材６１と同様に、第１ｂ基準面５３１に向けてのみ、第１レンズアレイ４２１を付勢するようにしてもよい。また、第１付勢部材６１が、第２付勢部材６２と同様の構成を有し、第１レンズアレイ４２１を上記２方向に付勢するようにしてもよい。
【００４９】
上記実施形態では、第１付勢部材６１及び第２付勢部材６２は、それぞれ把持部６１７，６２６を備えることとした。しかしながら、本発明は、これに限らない。例えば、第１付勢部材６１及び第２付勢部材６２は、それぞれ把持部６１７，６２６を備えなくてもよい。この場合であっても、上記実施形態と同様の効果を奏することができる。
【００５０】
上記実施形態では、第１付勢部材６１及び第２付勢部材６２が付勢する光学部品は、第１レンズアレイ４２１であることとした。しかしながら、本発明は、これに限らない。例えば、第１付勢部材６１及び第２付勢部材６２が付勢する光学部品は、第２レンズアレイ４２３であってもよい。すなわち、光学部品は、第１レンズアレイ４２１に限られず、透光性を有する光学部品であれば、どのような光学部品であってもよい。
【００５１】
上記各実施形態では、投射光学装置４６は、複数のレンズ４６１及び非球面ミラー４６２を備えることとした。しかしながら、本発明は、これに限らない。例えば、投射光学装置４６は、複数のレンズ４６１のみを備え、−Ｘ方向に画像を投射する構成であってもよい。
【００５２】
上記実施形態では、色合成装置４５５は、いわゆるクロスダイクロイックプリズムにより構成されるとした。しかしながら、本発明は、これに限らない。例えば、色合成装置４５５は、いわゆるギャップレスプリズム及びフィリップスプリズムのいずれにより構成されてもよい。
【００５３】
上記実施形態では、光変調装置として透過型の液晶パネル４５３（４５３Ｒ，４５３Ｇ，４５３Ｂ）を用いることとした。しかしながら、本発明は、これに限らない。例えば、透過型の液晶パネル４５３（４５３Ｒ，４５３Ｇ，４５３Ｂ）に代えて、反射型の光変調装置を用いてもよい。この場合、色分離装置４３を設けることなく、当該電気光学装置４５により、色分離及び色合成を実行するようにしてもよい。
【００５４】
上記実施形態では、プロジェクター１は、３つの液晶パネル４５３（４５３Ｒ，４５３Ｇ，４５３Ｂ）を備えるとしたが、本発明はこれに限らない。すなわち、２つ以下、あるいは、４つ以上の光変調装置を用いたプロジェクターにも、本発明を適用可能である。
また、入射光束を変調して画像情報に応じた画像を形成可能な光変調装置であれば、マイクロミラーを用いたデバイス、例えば、ＤＭＤ（Digital Micromirror Device）等を利用したものなど、液晶以外の光変調装置を用いてもよい。
【符号の説明】
【００５５】
１…プロジェクター、２…外装筐体、４１…光源装置、４２…均一化装置、４２１…第１レンズアレイ、４２２…調光装置、４２３…第２レンズアレイ、４２４…偏光変換素子、４２５…重畳レンズ、４３…色分離装置、４５３…液晶パネル（光変調装置）、４６…投射光学装置、５…光学部品用筐体（筐体）、５１…溝部、５１１…第１ａ基準面（第１基準面）、５１２…第２基準面、５２…溝部、５３…溝部、５３１…第１ｂ基準面（第１基準面）、５４…溝部、５４１…傾斜面、５Ｌ…部品収納部材、５Ｕ…蓋状部材、６１…第１付勢部材（付勢部材）、６１１…筐体当接部、６１２…付勢部、６１３…アレイ当接部（当接部）、６１４…遮蔽部、６１５…接続部、６１６…延出部、６１７…把持部、６２…第２付勢部材（付勢部材）、６２１…アレイ当接部（当接部）、６２２…付勢部、６２３…筐体当接部、６２４…遮蔽部、６２５…接続部、６２６…把持部、Ａｘ…照明光軸。
【図１】
2017181535.tif 000003
【図２】
2017181535.tif 000004
【図３】
2017181535.tif 000005
【図４】
2017181535.tif 000006
【図５】
2017181535.tif 000007
【図６】
2017181535.tif 000008
【図７】
2017181535.tif 000009
【図８】
2017181535.tif 000010
【図９】
2017181535.tif 000011
【図１０】
2017181535.tif 000012